(57)【要約】      （修正有）【課題】手締め用の合成樹脂製バンドを絡ませずにロールの内側から引き出すことができ、しかも設置するスペースが非常にコンパクトである手締め用合成樹脂製バンドの絡み防止具を考案して提供する。【解決手段】ロール状の手締め用合成樹脂製バンド１０を函体内部に収納した合成樹脂製バンドの絡み防止具１であって、該合成樹脂製バンドの絡み防止具１が、下蓋体３と、上面の中央部にバンド引出すための開口部２−１を備えた上蓋体２と、該下蓋体３と該上蓋体２とを固定する単数又は複数の連結具４と、から構成されており、前記下蓋体３と前記上蓋体２とを連結した前記函体が、略円盤形状をしており、かつ、該函体の内径が３２〜３７ｃｍで内高の最大が７〜１６ｃｍであり、また、構成する該下蓋体３と該上蓋体２と該連結具とが金属製又は合成樹脂製である。【選択図】図１
0003180325.tif 000002
【実用新案登録請求の範囲】
【請求項１】
ロール状の手締め用合成樹脂製バンドを函体内部に収納した合成樹脂製バンドの絡み防止具であって、該合成樹脂製バンドの絡み防止具が、下蓋体と、上面の中央部にバンド引出すための開口部を備えた上蓋体と、該下蓋体と該上蓋体とを固定する単数又は複数の連結具と、から構成されており、前記下蓋体と前記上蓋体とを連結した前記函体が、中央部が厚みがあり外縁になるに従って徐々に薄くなっていって外縁部で急激に厚みが薄くなる略円盤形状をしており、かつ、該函体の内径が３２〜３７ｃｍで内高の最大が７〜１６ｃｍであり、また、構成する該下蓋体と該上蓋体と該連結具とが金属製又は合成樹脂製であることを特徴とする手締め用合成樹脂製バンドの絡み防止具。
【請求項２】
前記上蓋体が、内部を可視化できる構造であって、放射状の多数の隙間を有していること、又は、部分的に透明であることを特徴とする請求項１に記載の手締め用合成樹脂製バンドの絡み防止具。
【請求項３】
前記上蓋体に、吊下用金具を付設したことを特徴とする請求項１又は２に記載の手締め用合成樹脂製バンドの絡み防止具。
【請求項４】
前記上蓋体に、合成樹脂製バンドの端部保持具を付設したことを特徴とする請求項１又は２又は３に記載の手締め用合成樹脂製バンドの絡み防止具。
【請求項５】
前記下蓋体の下面に据付用の足を付設したことを特徴とする請求項１から４のいずれかに記載の手締め用合成樹脂製バンドの絡み防止具。
【考案の詳細な説明】
【技術分野】
【０００１】
本考案は、ロール状の手締め用の合成樹脂製バンドを使用する際に、最後まで絡まずにバンドを引き出すことができる手締め用合成樹脂製バンドの絡み防止具に関するものである。
【背景技術】
【０００２】
合成樹脂製バンドは、通常、ロール状に巻かれた状態で市販されている。合成樹脂製バンドは、総延長がおよそ１０００ｍ以下の手締め用のものと、総延長が２０００〜３０００ｍの自動梱包機用のものとがある。手締め用のものは、おもにストッパーを用いて手で引っ張って締結する。一方、自動梱包機用のものは、おもに機械で引っ張りながら熱を加えて溶着して締結している。
【０００３】
自動梱包機用のものは、通常、中心部に芯を備えており、その芯に回転軸を通して自動梱包機にセットされ、ロール状の合成樹脂製バンドを回転させて、外側から使用していくので絡むことなく使用することができる。例えば、２つのロール状の合成樹脂製バンドを自動で接続させるようにしたバンド自動接続装置が先行技術として開示されている（文献１）。
【先行技術文献】
【特許文献】
【０００４】
【特許文献１】特開平９−２９５６０７号公報（〔図１〕）。
【特許文献２】特開２０００−０８５７２９号公報（〔請求項１〕、〔図１〕）。
【考案の概要】
【考案が解決しようとする課題】
【０００５】
前記先行技術１は、工場や大規模な店舗等において大掛かりな梱包作業する場合においては、合成樹脂製バンドが絡まないので便利であるが、家庭や小規模な店舗においては、高額な機械代や機械の設置スペースの問題から自動梱包機を設置しない場合も多くあり、その場合には、手締め用の合成樹脂製バンドを使用したりしている。また、近年、家庭で作れる合成樹脂製バンド（ＰＰバンド）かご等の手芸が流行ってきている。このように、手締め用合成樹脂製バンドもよく使用されており、手締め用の合成樹脂製バンドの絡みを防止する梱包用紐セット装置が先行技術として開示されている（文献２）。
【０００６】
前記先行技術２は、大掛かりな機械を用いないで手締め用の合成樹脂製バンドを絡ませずに引き出せる点で便利であるが、やはり、合成樹脂製バンドのロールを回転させるためにそれを支える大掛かりな足が必要であり、空間も含めた広い設置スペースが必要で、家庭や小規模店舗では、やはり採用しにくいという問題があった。また、手締め用合成樹脂製バンドには、その中心には芯がないので、使用の最後にはロール形状が維持できずに崩れて絡まってしまうおそれがあるという問題があった。
【０００７】
そこで、上記の問題を解決するために、手締め用の合成樹脂製バンドを絡ませずにロールの内側から引き出すことができ、しかも設置するスペースが非常にコンパクトである手締め用合成樹脂製バンドの絡み防止具を考案して提供するものである。
【課題を解決するための手段】
【０００８】
本考案の請求項１に係る手締め用合成樹脂製バンドの絡み防止具は、ロール状の手締め用合成樹脂製バンドを函体内部に収納した合成樹脂製バンドの絡み防止具であって、該合成樹脂製バンドの絡み防止具が、下蓋体と、上面の中央部にバンド引出すための開口部を備えた上蓋体と、該下蓋体と該上蓋体とを固定する単数又は複数の連結具と、から構成されており、前記下蓋体と前記上蓋体とを連結した前記函体が、中央部が厚みがあり外縁になるに従って徐々に薄くなっていって外縁部で急激に厚みが薄くなる略円盤形状をしており、かつ、該函体の内径が３２〜３７ｃｍで内高の最大が７〜１６ｃｍであり、また、構成する該下蓋体と該上蓋体と該連結具とが金属製又は合成樹脂製であることを特徴とする。
【０００９】
本考案に係る手締め用合成樹脂製バンドの絡み防止具は、下蓋体の上面（内面）にロール状の手締め用合成樹脂製バンドを入れて、その上側から上蓋体を被せる。このときに、手締め用合成樹脂製バンドの使用する側である中心側の端部を上蓋体の中央部の開口部を通じて外に出しておく。そして、下蓋体と上蓋体を連結具でしっかりと固定する。よって、上蓋体の中央部から飛び出している合成樹脂製バンドの端部を引っ張れば、手締め用合成樹脂製バンドの絡み防止具は適当な重量があって姿勢が安定しており、また、上蓋体でロール状の合成樹脂製バンドを押さえて固定することができるので、絡むことなく最後までバンドを引き出すことができる。また、下蓋体と上蓋体とをしっかり連結して固定しているので、本考案に係る手締め用合成樹脂製バンドの絡み防止具を移動させたり、雑に扱ったりしたとしても、中身であるロール状の手締め用合成樹脂製バンドが飛び出したりしない。したがって、このように、手締め用合成樹脂製バンドの絡み防止具から合成樹脂製バンドを円滑に取り出せるので、合成樹脂製バンドを用いる荷造り作業を順調に遂行できる。
【００１０】
また、手締め用合成樹脂製バンドの絡み防止具の形状は、概略円盤形状で、中央部が厚み（高さ）があり、外縁部に向かって徐々に厚みが薄くなっていき、外縁部で急激に厚みがなくなっている。本考案に係る手締め用合成樹脂製バンド絡み防止具は、この様な円盤形状であることから、床面に置いてもしっかりと安定していて転げることはない。よって、手締め用合成樹脂製バンドを引っ張り出す際に、絡み防止具がひっくり返って裏返しになることがないので順調にバンドを引き出すことができる。また、手締め用合成樹脂製バンド絡み防止具を頻繁に移動させたとしても、手締め用合成樹脂製バンドは、絡み防止具に覆われて保護されているので、ロールの中心に芯がなくともロール形状が崩れない。よってロール形状の崩れによる手締め用合成樹脂製バンドの絡みを防止することができる。また、本考案にかかる手締め用合成樹脂製バンドの絡み防止具は、回転軸やそれを支える足がなく、ロール形状の手締め用合成樹脂製バンドより一回り大きいだけなので大変コンパクトで取り扱い易いものである。
【００１１】
また、本考案に係る合成樹脂製ロープの絡み防止具の材質は、金属製又は樹脂製であるので頑丈であり、何かにぶつけたとしても壊れにくいし、また、製作も容易である。
【００１２】
請求項２に係る手締め用合成樹脂製バンドの絡み防止具は、請求項１において、前記上蓋体が、内部を可視化できる構造であって、放射状の多数の隙間を有していること、又は、部分的に透明であることを特徴とする。
【００１３】
この構成によって、本考案に係る手締め用合成樹脂製バンドの絡み防止具内に収納されたロール状のバンドの状態と共に、その残量を容易に確認することができるので、バンドが無くなることを前もって把握することができ、段取り良く荷造り作業をすることができる。
【００１４】
請求項３に係る手締め用合成樹脂製バンドの絡み防止具は、請求項１又は２において、前記上蓋体に、吊下用金具を付設したことを特徴とする。
【００１５】
吊下用金具を付設してあるので、決まった位置で荷造り作業をする場合に、天井等の高所から手締め用合成樹脂製バンドの絡み防止具を吊下げることができる。よって、床に手締め用合成樹脂製バンドの絡み防止具を置かなくてすむので、作業場のスペースを有効に使うことができる。
【００１６】
請求項４に係る手締め用合成樹脂製バンドの絡み防止具は、請求項１又は２又は３において、前記上蓋体に、合成樹脂製バンドの端部保持具を付設したことを特徴とする。
【００１７】
この構成によって、手締め用合成樹脂製バンドの使用する側の端部を、端部保持具に、保持することができるので、移動中や作業終了後のバンド端部の絡みや意図しないロープの引出しを防止できる。また、バンドを長く引き出しすぎた場合には、保持した端部から余分のバンドの部分を上蓋体の開口部から絡み防止具の内部に押し込めば絡みを防止することができて、次回、使用する際にもバンドをスムーズに取り出すことができる。
【００１８】
請求項５に係る手締め用合成樹脂製バンドの絡み防止具は、請求項１から４のいずれかにおいて、前記下蓋体の下面に据付用の足を付設したことを特徴とする。
【００１９】
この構成によって、据付用の足を取付ければ、手締め用合成樹脂製バンドの絡み防止具を床面から浮かせた状態で設置できるので、手締め用合成樹脂製バンドがほこりや水気等で汚れることを防ぐことができる。
【考案の効果】
【００２０】
本考案に係る請求項１から５に記載の手締め用合成樹脂製バンドの絡み防止具によれば、長尺のロール状の合成樹脂バンドを絡ませずに取り出すことができるので、無駄がなく経済的である。また、全体が大変コンパクトであり、さらに、吊下用金具で天井等から吊下げることもできるので、狭い場所である小店舗や家庭でも設置することができる。また、バンドの端部を端部保持具で保持させることによって、作業終了後や移動中のバンド端部の絡みや意図しないバンドの引出し及び引き込みを防止できる。よって、次回も合成樹脂製バンドをスムーズに使用できる。また、足を付けることによって、床面から手締め用合成樹脂製バンドの絡み防止具を浮かせることができるので、ロール状の手締め用合成樹脂製バンドがほこり等で汚れず、清潔に使用できる。本手締め用合成樹脂製バンドの絡み防止具は、金属製又は合成樹脂製であるから製作が容易であり、経済的である。
【図面の簡単な説明】
【００２１】
【図１】図１は、本考案を実施するための形態に係る手締め用合成樹脂製バンドの絡み防止具の模式的斜視図である。
【図２】図２は、本考案を実施するための形態に係る手締め用合成樹脂製バンドの絡み防止具の正面図である。
【図３】図３は、本考案を実施するための形態に係る手締め用合成樹脂製バンドの絡み防止具の上蓋体を外した状態の平面図である。
【図４】図４は、本考案を実施するための形態に係る手締め用合成樹脂製バンドの絡み防止具の足を取付けた場合の正面図である。
【考案を実施するための形態】
【００２２】
本考案に係る手締め用合成樹脂製バンドの絡み防止具を実施するための形態について図１、図２、図３、図４を用いて説明する。図１は、本考案を実施するための形態に係る手締め用合成樹脂製バンドの絡み防止具の模式的斜視図である。図２は、本考案を実施するための形態に係る手締め用合成樹脂製バンドの絡み防止具の正面図である。図３は、本考案を実施するための形態に係る手締め用合成樹脂製バンドの絡み防止具の上蓋体を外した状態の平面図である。図４は、本考案を実施するための形態に係る手締め用合成樹脂製バンドの絡み防止具の足を取付けた場合の正面図である。
【００２３】
図１、図２、図３、図４を用いて、手締め用合成樹脂製バンドの絡み防止具１を説明する。本考案に係る手締め用合成樹脂製バンドの絡み防止具１は、下蓋体３と、上面の中央部に手締め用合成樹脂製バンド１０を取り出す開口部２−１を有する上蓋体２と、該下蓋体３と該上蓋体２とを連結して固定する連結具４と、を少なくとも備えている。
【００２４】
下蓋体３と上蓋体２とが、連結具４によって、連結して函体を形成しており、その函体の形状は、略円盤形状であり、中央部が厚み（高さ）があり、外縁部に向かって徐々に厚みが薄くなっていき、外縁部で急激に厚みがなくなっている。その函体の内部にロール状の手締め用合成樹脂製バンド１０を収納している。函体の内側の大きさは、ロール状の手締め用合成樹脂製バンド１０より１〜２ｃｍぐらい大きいものが好ましく、具体的には、函体の内径が３２〜３７ｃｍで内高の最大が７〜１６ｃｍぐらいのものが好ましい。そして、手締め用合成樹脂製バンド１０のうち使用する側の端部を、上蓋体２の開口部２−１から外部に引き出しておく。なお、手締め用合成樹脂製バンド１０とは、材質が例えば、ＰＰバンドなどがあり、また、その寸法は、一般に幅１５．５〜１９ｍｍで総延長がおよそ１００〜１０００ｍのものである。
【００２５】
下蓋体３は、金属製又は合成樹脂製でできており、中央部から外縁部に向かって放射状（縦の格子状）の隙間を有するボウル状になっていることが好ましい。放射状の隙間にした場合には、手締め用合成樹脂製バンドの絡み防止具１全体のの重量が軽くなり、また、上蓋体２の格子の隙間から入ったゴミやほこり等が格子の間から下に落ちるので、手締め用合成樹脂製バンドの絡み防止具１の内部に溜まらない。よって、中に収納されたロール状の手締め用合成樹脂製バンド１０が汚れることを防ぐことができる。下蓋体３の下面（外面に）足７を取付けることもできる。足７を取付ければ、手締め用合成樹脂製バンドの絡み防止具１を置いた場合でも下蓋体３が床面から浮いているので、手締め用合成樹脂製バンド１０に床のほこり、水気やゴミが溜まったり付着したりすることを防ぐことができる。よって、中に入っているロール状の手締め用合成樹脂製バンド１０が汚れることを防ぐことができる。また、下蓋体３は、金属製又は合成樹脂製でできているので、移動時に何かにぶつけても頑丈であり壊れにくく、中身の手締め用合成樹脂製バンド１０のロール形状も維持できる。
【００２６】
上蓋体２は、下蓋体３と同様に金属製又は合成樹脂製でできており、中央部から外縁部に向かって放射状の隙間を有するようになっている。また、中央部には、開口部２−１があり、ここを通って手締め用合成樹脂製バンド１０が外部に引き出される。上蓋体２は、放射状の隙間を有し又は透明な合成樹脂製にすることによって、内部が透けて見えるので、内部に収納されたロール状の手締め用合成樹脂製バンド１０の状態や残量が一目で確認できる。よって、残量が残り少ない場合には、前もってロール状の手締め用合成樹脂製バンド１０の替えを用意できるので、段取り良くバンドの荷造り作業を遂行できる。また、放射状の隙間を有することより、下蓋体３と同様に合成樹脂製ロープの絡み防止具１全体の重量が軽くすることができる。また、上蓋体２も、金属製又は合成樹脂製でできているので、移動時に何かにぶつけても頑丈であり壊れにくく、中身の手締め用合成樹脂製バンド１０のロール形状も維持できる。
【００２７】
また、上蓋体２には、バンドの端部保持具６が設けており、手締め用合成樹脂製バンド１０の使用する側の端部を挟持して保持することができるので、使用しない場合にバンドの絡みや内部に引き込まれることを防止できる。その際に、保持した手締め用合成樹脂製バンド１０の端部と、開口部２−１との間に手締め用合成樹脂製バンド１０の弛みがあった場合には、その弛み部分を開口部２−１から内部に押し込むことによって、引っ掛かりを防止し、余分な手締め用合成樹脂製バンド１０がそのロールから出ていくことを防ぐことができる。
【００２８】
また、上蓋体２には、吊下用金具５を備えているので、天井から手締め用合成樹脂製バンドの絡み防止具１を吊下げることによって、床面のスペースが狭くとも、手締め用合成樹脂製バンドの絡み防止具１を設置するができる。
【００２９】
連結具４は、上蓋体２と下蓋体３とを連結させるもので、連結具４の一部に連結を固定させる固定部材４−１を有している。連結具４は、上蓋体２と下蓋体３とが接している円周部分を一つの連結具４で連結させても良いし、該円周部分を複数の連結具で等分し、夫々を連結させても良い。本考案に係る手締め用合成樹脂製バンドの絡み防止具１は、天井から吊下げられる場合もあるので、固定部材４−１でしっかり固定するのが好ましい。なお、連結具４も金属製又は合成樹脂製でできている。
【００３０】
次に、本考案に係る手締め用合成樹脂製バンドの絡み防止具１の製造方法の一例を説明する。まず、上蓋体２は、プレスで打ち抜いた開口部２−１を有する中央部に用いる金属製の部材と、外縁部に用いる金属製の部材との間を結ぶように、直径約２ｍｍの金属製の棒を所定の本数並べて格子となる所定の形状に曲げて、夫々溶接して固定する。また、下蓋体３も同様に溶接して製造する。このとき、上蓋体２には、吊下金具５を格子状の棒に溶接し、バンドの端部保持具６を格子状の棒又は中央部に用いる部材に溶接又はボルトで固定する。そして、射出成形で作成した樹脂に固定部材４−１を取付けて連結具４を製作する。そして、上蓋体２の下縁と、下蓋体３の上縁と、を合わせて連結具４で連結し固定部材４-１で固定して組み立てれば、手締め用合成樹脂製バンドの絡み防止具１は完成する。
【００３１】
次に、本考案に係る手締め用合成樹脂製バンドの絡み防止具１の使用方法の一例を説明する。手締め用合成樹脂製バンドの絡み防止具１は、例えば、小規模店舗における荷造り作業に用いれば大変便利である。
【００３２】
その場合には、まず、下蓋体３の上面（内面）に、ロール状の手締め用合成樹脂製バンドを置き、それに上蓋体２を被せて、連結具４とその部材である固定部材４−１を用いて連結して固定する。このとき、手締め用合成樹脂製バンド１０は、使用する側である中心側の端部をあらかじめ上蓋体２の開口部２−１から外部に出しておく。そして、出された手締め用合成樹脂製バンド１０の端部を上蓋体２に備えられたバンドの端部保持具６で保持しておく。これで使用前の準備が完了である。本考案にかかる手締め用合成樹脂製バンドの絡み防止具１は、非常にコンパクトであるので、狭いスペースでも設置できて大変便利である。
【００３３】
次に、梱包物を荷造りする作業では、作業員は、床面に置かれた手締め用合成樹脂製バンドの絡み防止具１の開口部２−１から出ている手締め用合成樹脂製バンド１０を、手で引っ張り出して、荷造り可能な長さでカッターナイフやハサミで手締め用合成樹脂製バンド１０を切断する。そして、切断した手締め用合成樹脂製バンド１０に結束具を通してから、絞って荷造りをする。また、カッターナイフ等で手締め用合成樹脂製バンド１０を切断した際に、該バンド１０が手締め用合成樹脂製バンドの絡み防止具１内に引き込まれることを防ぐためにバンドの端部保持具６で、手締め用合成樹脂製バンド１０の切断した端部付近を保持しておく。この作業を繰り返して、荷造り作業をしていく。前述したように、本考案に係る手締め用合成樹脂製バンドの絡み防止具１は、大変安定した形状であることと、ある程度の重さがあって重心が低くくバランスが良いことから、手締め用合成樹脂製バンド１０を引き出す際に、手締め用合成樹脂製バンドの絡み防止具１がひっくり返ったりしないので、順調に手締め用合成樹脂製バンド１０を取り出せる。また、下蓋体３の下面（外面）に足７を取付けることもできる。足７を取付ければ、手締め用合成樹脂製バンドの絡み防止具１を床面に置いた場合でも、下蓋体３が床面から浮くので、ロール状の手締め用合成樹脂製バンド１０にゴミや水気やほこりが付着することを防ぐことができる。よって、中に入っているロール状の手締め用合成樹脂製バンド１０が汚れることを防ぐことができる。手締め用合成樹脂製バンド１０の引き出し作業が終われば、手締め用合成樹脂製バンドの端部をバンドの端部保持具６で保持すれば、手締め用合成樹脂製バンド１０の思わぬ引出し、引き込み及び絡みを防止することができる。
【００３４】
家庭におけるＰＰバンドの手芸や小規模店舗における荷造り作業では、非常にコンパクトである本考案に係る手締め用合成樹脂製バンドの絡み防止具１を設置するスペースがない場合も考えられるが、天井から宙吊りにさせることによって、空間が有効に活用できるような設置が可能である。
【００３５】
また、本考案に係る手締め用合成樹脂製バンドの絡み防止具１は、移動中に何かにぶつかったとしたりしても、上蓋体２と下蓋体３とがしっかりと連結して固定されているので、中身であるロール状の手締め用合成樹脂製バンド１０が外部に飛び出さないし、ロール状態を維持し続けることができる。また、本考案に係る手締め用合成樹脂製バンドの絡み防止具１は、金属製または合成樹脂製でできており、頑丈なので壊れない。
【００３６】
作業終了後は、手締め用合成樹脂製バンド１０の端部を保持具６で保持し、手締め用合成樹脂製バンド１０の弛みを開口部２−１から本考案に係る手締め用合成樹脂製バンドの絡み防止具１内に押し込めば、保管中も手締め用合成樹脂製バンド１０が絡むことはない。手締め用合成樹脂製バンドの絡み防止具１を揺すれば、手締め用合成樹脂製バンドの絡み防止具１内のロール状の手締め用合成樹脂製バンドについている埃を上蓋体２および下蓋体３の隙間から落とすことができる。
【産業上の利用可能性】
【００３７】
荷造り作業や梱包作業の分野や、ＰＰバンドを使用した手芸の分野で広く利用できる。
【符号の説明】
【００３８】
１：手締め用合成樹脂製バンドの絡み防止具
２：上蓋体                  ２−１：開口部
３：下蓋体
４：連結具                  ４−１：固定部材
５：吊下用金具
６：バンドの端部保持具
７：足
１０：手締め用合成樹脂製バンド  
【図１】
0003180325.tif 000003
【図２】
0003180325.tif 000004
【図３】
0003180325.tif 000005
【図４】
0003180325.tif 000006